(57)【要約】【課題】  良好な再生状態を保ちつつ適切な音場処理を行うことが可能なディジタルデータ再生装置、ディジタルデータ再生処理装置及びディジタルデータ再生方法を実現する。【解決手段】  クライアント制御部１２は、供給された音楽データに、所定時間の長さのダミーデータを付加してＤＩＲ１３に出力する。ＤＩＲ１３は、供給されたデータをオーディオＤＳＰ１４に供給し、オーディオＤＳＰ１４において復号／復調および音場処理を行う。その際、システムマイコン１１は、音楽データの先頭部に付加されたダミーデータに基づいて、音楽データの形式を読み取り、適切な処理方法を選択して、オーディオＤＳＰ１４に処理を行わせる。【選択図】  図１
2006065958.tif 000002
【特許請求の範囲】
【請求項１】
再生対象ディジタルデータを再生する再生手段と、
前記再生手段で再生されたディジタルデータを受信して、受信したディジタルデータの属性を判別すると共に、受信したディジタルデータに対応するディジタルデータを出力する処理手段と、
前記処理手段によって判別された前記再生対象ディジタルデータの属性と同一の属性を有する属性判別用ディジタルデータを生成し、該生成した属性判別用ディジタルデータを所定期間出力する属性判別用ディジタルデータ生成手段と、
を備え、
前記処理手段は前記属性判別用ディジタルデータ生成手段が生成した属性判別用ディジタルデータを出力した後に、前記再生手段から受信した前記再生対象ディジタルデータに対応するディジタルデータを出力する、
ことを特徴とするディジタルデータ再生装置。
【請求項２】
前記属性判別用ディジタルデータは、無音のディジタルデータから構成される、ことを特徴とする請求項１に記載のディジタルデータ再生装置。
【請求項３】
前記属性は、ディジタルデータの符号化方式とサンプリング周波数との少なくとも一方を含む、ことを特徴とする請求項１又は２に記載のディジタルデータ再生装置。
【請求項４】
前記処理手段は、ディジタルデータの供給が開始されると、該ディジタルデータの符号化方式とサンプリング周波数との少なくとも一方を属性として判別し、判別した属性に従って供給されたディジタル信号を処理する、ことを特徴とする請求項１乃至３のいずれか１項に記載のディジタルデータ再生装置。
【請求項５】
記録媒体に記録された再生対象のディジタルデータを読み出して出力するための装置であって、
ディジタルデータの再生指示を受信する再生指示受信手段と、
前記再生指示受信手段による再生指示の受信に応答して、前記再生対象ディジタルデータの属性を判別する属性判別手段と、
前記属性判別手段により判別された属性を有するダミーのディジタルデータを生成するダミーデータ生成手段手段と、
前記ダミー生成手段により生成されたディジタルデータを所定期間出力した後、該ディジタルデータに連続して、前記記録媒体より読み出したディジタルデータを出力する出力手段と、を備えた、
ことを特徴とするディジタルデータ再生装置。
【請求項６】
前記ダミーのディジタルデータは、無音のディジタルデータから構成される、ことを特徴とする請求項５に記載のディジタルデータ再生装置。
【請求項７】
前記ディジタルデータの特性は、ディジタルデータの符号化方式とサンプリング周波数との少なくとも一方を含む、ことを特徴とする請求項５又は６に記載のディジタルデータ再生装置。
【請求項８】
さらに、前記出力手段から出力されたディジタルデータの属性を判別して、判別した属性に従って供給されたディジタルデータを処理する処理手段を備えた、
ことを特徴とする請求項５、６又は７に記載のディジタルデータ再生装置。
【請求項９】
ディジタルデータを受信する受信手段と、
前記受信手段で受信されたディジタルデータの属性を判別すると共に、受信したディジタルデータに対応するディジタルデータを出力する処理手段と、
前記処理手段によって判別された前記再生対象ディジタルデータの属性と同一の属性を有する属性判別用ディジタルデータを生成し、該生成した属性判別用ディジタルデータを所定期間出力する属性判別用ディジタルデータ生成手段と、
前記属性判別用ディジタルデータ生成手段で生成された属性判別用ディジタルデータと、前記処理手段で処理されて出力された再生対象ディジタルデータを受信し、再生処理を施して再生ディジタルデータを生成する再生処理手段と、
を備え、
前記処理手段は、前記属性判別用ディジタルデータ生成手段が生成した属性判別用ディジタルデータを出力した後に、前記再生手段から受信した前記再生対象ディジタルデータに対応するディジタルデータを出力し、
前記再生処理手段は、前記属性判別用ディジタルデータを受信して当該ディジタルデータの属性を判別し、前記再生対象ディジタルデータを受信して判別した属性に基づいて前記再生対象ディジタルデータを再生処理する、
ことを特徴とするディジタルデータ再生処理装置。
【請求項１０】
ディジタルデータを再生して供給する方法であって、
再生対象のディジタルデータの属性を判別し、
判別した属性を有するディジタルデータを生成して、所定期間供給した後に、再生対象のディジタルデータの供給を開始する、
ことを特徴とするディジタルデータ再生方法。
【発明の詳細な説明】
【技術分野】
【０００１】
本発明は、  ディジタルデータ再生装置、ディジタルデータ再生処理装置、及びディジタルデータ再生方法に関する。
【背景技術】
【０００２】
ＣＤ、ＤＶＤ等のディスクプレーヤや、ＨＤＤプレーヤのようなデジタルの音楽コンテンツを再生可能なプレーヤ、さらにはＣＤプレーヤ、ＤＶＤプレーヤ、ＨＤＤプレーヤで再生出力されたディジタルデータを受信し、これをデコードして音響出力するＡＶレシーバがある（例えば、特許文献１）。
【特許文献１】特開平８−２５６３３０号公報
【発明の開示】
【発明が解決しようとする課題】
【０００３】
上述したようなＣＤプレーヤ、ＤＶＤプレーヤ、ＨＤＤプレーヤ、ＡＶレシーバでは、例えば、ＣＤ−ＤＡ、ＭＰ３、ＷＭＡ、ＡＡＣ等、様々な音声形式に対応しており、これら音声形式に対応するためには、コンテンツの音声形式を把握して、その形式に合った処理を行う必要がある。そのため、コンテンツの再生開始時に、音声形式の情報を読み取ることが一般的に行われている。
【０００４】
しかし、コンテンツの再生が開始してから音声形式の情報の取得を完了するまでには相応の時間が必要であり、音声データの最初の部分に処理を行うことができないため、いわゆる「頭切れ」が発生してしまう。例えばＣＤプレーヤでＭＰ３形式で音声信号が記録されたディスクを再生する場合、ＣＤプレーヤから出力されたＭＰ３形式のビットストリームは、ＡＶレシーバ等でデコードされて音響出力されるが、ＡＶレシーバでＭＰ３形式のビットストリームであることを識別するには相応の時間がかかってしまい、ビットストリームの初頭部分を再生することができない場合が生じてしまう。また、たとえＣＤプレーヤがＭＰ３形式の音声信号をデコードして（ＰＣＭ化して）出力する場合でも、ＭＰ３形式音声信号のサンプリング周波数が複数選択可能であるため、このサンプリング周波数を識別するためにも相応の時間が掛かってしまう。したがって、やはり音声信号の初頭部分を再生することができない場合が生じてしまう。
【０００５】
本発明は、上記実状に鑑みて為されたものであり、複数の音声形式及び／又はサンプリング周波数に対応して、頭切れのないディジタルデータ再生装置、ディジタルデータ再生処理装置、およびディジタルデータ再生方法を実現することを目的とする。
【課題を解決するための手段】
【０００６】
上記目的を達成するため、本発明の第１の観点に係るディジタルデータ再生装置は、
再生対象ディジタルデータを再生する再生手段と、
前記再生手段で再生されたディジタルデータを受信して、受信したディジタルデータの属性を判別すると共に、受信したディジタルデータに対応するディジタルデータを出力する処理手段と、
前記処理手段によって判別された前記再生対象ディジタルデータの属性と同一の属性を有する属性判別用ディジタルデータを生成し、該生成した属性判別用ディジタルデータを所定期間出力する属性判別用ディジタルデータ生成手段と、
を備え、
前記処理手段は前記属性判別用ディジタルデータ生成手段が生成した属性判別用ディジタルデータを出力した後に、前記再生手段から受信した前記再生対象ディジタルデータに対応するディジタルデータを出力する、
ことを特徴とする。
【０００７】
前記属性判別用ディジタルデータは、無音のディジタルデータから構成されることが好ましい。
【０００８】
前記属性は、ディジタルデータの符号化方式とサンプリング周波数との少なくとも一方を含むことが好ましい。
【０００９】
前記処理手段は、ディジタルデータの供給が開始されると、該ディジタルデータの符号化方式とサンプリング周波数との少なくとも一方を属性として判別し、判別した属性に従って供給されたディジタル信号を処理することが好ましい。
【００１０】
上記目的を達成するため、本発明の第２の観点に係るディジタルデータ再生装置は、
記録媒体に記録された再生対象のディジタルデータを読み出して出力するための装置であって、
ディジタルデータの再生指示を受信する再生指示受信手段と、
前記再生指示受信手段による再生指示の受信に応答して、前記再生対象ディジタルデータの属性を判別する属性判別手段と、
前記属性判別手段により判別された属性を有するダミーのディジタルデータを生成するダミーデータ生成手段手段と、
前記ダミー生成手段により生成されたディジタルデータを所定期間出力した後、該ディジタルデータに連続して、前記記録媒体より読み出したディジタルデータを出力する出力手段と、を備えた、
ことを特徴とする。
【００１１】
前記ダミーのディジタルデータは、無音のディジタルデータから構成されることが好ましい。
【００１２】
前記ディジタルデータの特性は、ディジタルデータの符号化方式とサンプリング周波数との少なくとも一方を含むことが好ましい。
【００１３】
さらに、前記出力手段から出力されたディジタルデータの属性を判別して、判別した属性に従って供給されたディジタルデータを処理する処理手段を備えたことが好ましい。
【００１４】
上記目的を達成するため、本発明の第３の観点に係るディジタルデータ再生処理装置は、
ディジタルデータを受信する受信手段と、
前記受信手段で受信されたディジタルデータの属性を判別すると共に、受信したディジタルデータに対応するディジタルデータを出力する処理手段と、
前記処理手段によって判別された前記再生対象ディジタルデータの属性と同一の属性を有する属性判別用ディジタルデータを生成し、該生成した属性判別用ディジタルデータを所定期間出力する属性判別用ディジタルデータ生成手段と、
前記属性判別用ディジタルデータ生成手段で生成された属性判別用ディジタルデータと、前記処理手段で処理されて出力された再生対象ディジタルデータを受信し、再生処理を施して再生ディジタルデータを生成する再生処理手段と、
を備え、
前記処理手段は、前記属性判別用ディジタルデータ生成手段が生成した属性判別用ディジタルデータを出力した後に、前記再生手段から受信した前記再生対象ディジタルデータに対応するディジタルデータを出力し、
前記再生処理手段は、前記属性判別用ディジタルデータを受信して当該ディジタルデータの属性を判別し、前記再生対象ディジタルデータを受信して判別した属性に基づいて前記再生対象ディジタルデータを再生処理する、
ことを特徴とする。
【００１５】
上記目的を達成するため、本発明の第４の観点に係るディジタルデータ再生方法は、
ディジタルデータを再生して供給する方法であって、
再生対象のディジタルデータの属性を判別し、
判別した属性を有するディジタルデータを生成して、所定期間供給した後に、再生対象のディジタルデータの供給を開始する、
ことを特徴とする。
【発明の効果】
【００１６】
本発明によれば、複数の音声形式及び／又はサンプリング周波数に対応して、頭切れのないディジタルデータ再生装置、ディジタルデータ再生処理装置、およびディジタルデータ再生方法を実現することができる。
【発明を実施するための最良の形態】
【００１７】
（第１の実施の形態）
本発明の実施の形態に係るＡＶ（Audio and Visual）機器１は、図１に示すように、システムマイコン１１と、クライアント制御部１２と、ＤＩＲ（Digital Interface Receiver）１３と、オーディオＤＳＰ（Digital Signal Processor）１４と、アンプ部１５と、スピーカ部１６と、キー制御部１７と、ＰＣ（Personal Computer）１８と、ルータ１９と、メモリカード２０と、スロット２１と、ＬＡＮ（Local Area Network）２２と、ＬＡＮコントローラ２３と、表示部２４と、表示制御マイコン２５と、ＬＡＮ接続端子２６と、から構成される。
【００１８】
システムマイコン１１は、ＡＶ機器１の全体の動作を制御するものであり、ＣＰＵ（Central Processing Unit）やＲＯＭ（Read Only Memory）、ＲＡＭ（Random Access Memory）等を備えて構成される。
【００１９】
処理手段としてのクライアント制御部１２は、ＤＳＰで構成され、ＰＣ１８やメモリカード２０から供給されたデジタルのコンテンツデータ（オーディオデータ、画像データ等）を受信する。クライアント制御部１２は、受信したコンテンツデータのうち音声データをＰＣＭデータにデコードして、ＤＩＲ１３に供給する。デコードしたＰＣＭデータは、元のデータ（ＭＰ３、ＷＭＡ等）に依存して、様々なサンプリング周波数を持ち得る。尚、クライアント制御部１２は、供給されたデジタルのコンテンツデータから属性、例えばＭＰ３等の音声形式や４４．１ｋＨｚ等のサンプリング周波数を判別して、判別した属性に対応して供給されたデジタルデータのデコード処理を行う。デコードされたディジタルデータはＰＣＭデータとしてＤＩＲ１３に出力される。
【００２０】
また、供給されたデジタルデータがＰＣＭデータである場合でも、当該ＰＣＭデータは様々なサンプリング周波数でサンプリングされている可能性がある。クライアント制御部１２は、供給されたＰＣＭデータのサンプリング周波数を識別して属性として判別し、また受信したＰＣＭデータをＤＩＲ１３に出力する。
【００２１】
クライアント制御部１２は、判別した属性に基づいて、判別された前記再生対象ディジタルデータの属性と同一の属性を有する属性判別用ディジタルデータを生成し、生成した属性判別用ディジタルデータを所定期間出力する。クライアント制御部１２は、属性判別用ディジタルデータ生成手段としての処理も行う。クライアント制御部１２は、属性判別用ディジタルデータを所定期間出力した後に、これに続いて、供給されたＭＰ３形式の音声データ若しくは供給されたＰＣＭに対応するＰＣＭデータを出力する。
【００２２】
再生処理手段としてのＤＩＲ１３は、クライアント制御部１２から供給されたＰＣＭデータをオーディオＤＳＰ１４が処理可能な信号形式に変換して、変換した信号をオーディオＤＳＰ１４に供給する。クライアント制御部１２から受信するＰＣＭデータは、上述の通り、元の信号（ＭＰ３やＷＭＡ等）に依存して様々なサンプリング周波数を持ち得る。ＤＩＲ１３は、受信したＰＣＭデータから属性であるサンプリング周波数を判別して、判別したサンプリング周波数に対応する再生処理を行う。
【００２３】
オーディオＤＳＰ１４は、ＤＩＲ１３を介してクライアント制御部１２から供給されたコンテンツデータに対して音響処理（高域補完処理やサラウンド処理）を施して、処理したデータをアンプ部１５に出力する。
【００２４】
アンプ部１５は、アナログ増幅器や、後述するＤＡＣ（Digital Analog Converter）等を備え、オーディオＤＳＰ１４から入力されたデータをＤ／Ａ変換によりアナログ信号に変換して、増幅する。そして、アンプ部１５は、アナログ増幅した信号から音声信号を抽出してをスピーカ部１６に供給する。
【００２５】
スピーカ部１６は、アンプ部１５から供給された音声信号を空気振動に変換して、音声を出力する。
【００２６】
キー制御部１７は、リモートコントローラ等の操作入力キーを用いたユーザの操作入力を受け付け、入力された信号に対応するデータをシステムマイコン１１に供給する。
【００２７】
ＰＣ１８は、ハードディスク装置等の記憶装置を備え、クライアント制御部１２からの要求に応じて、記憶装置内に記憶されたコンテンツデータを、ルータ１９およびＬＡＮ２２を介してクライアント制御ＩＣ１２に供給する。ＰＣ１８は、記録装置内に複数の符号化形式で記録されたコンテンツデータを有する。例えば、ＭＰ３形式、ＷＭＡ形式、ＡＡＣ形式などで音声信号を符号化したディジタルデータが記録されている。クライアント制御部１２からの要求に応じて、記憶装置内の対応するディジタルデータを記録されている音声符号化形式のままビットストリームで出力する。
【００２８】
ルータ１９は、ＰＣ１８とクライアント制御部１２との間のＬＡＮ２２を介したデータの授受を中継するための装置である。
【００２９】
メモリカード２０は、フラッシュメモリ等の不揮発性半導体メモリを内蔵する記録媒体である。メモリカード２０は、クライアント制御部１２に接続されたスロット２１に挿入され、自身内部に記録されたコンテンツデータをスロット２１を介してクライアント制御部１２に供給する。メモリカード２０は、前述のＰＣ１８における記憶装置と同様、様々な音声符号化形式で符号化されたコンテンツデータをディジタルデータとして記録している。上述と同様、例えば、ＭＰ３形式、ＷＭＡ形式、ＡＡＣ形式などで音声信号を符号化したディジタルデータが記録されている。クライアント制御部１２からの要求に応じて、後述するスロット２１と協働して、対応するディジタルデータを記録されている音声符号化形式のままビットストリームで出力する。
【００３０】
スロット２１は、メモリカード２０の挿入口であり、クライアント制御部１２に接続されている。スロット２１は、メモリカード２０に記録されたコンテンツデータを読み取って、クライアント制御部１２に供給する。
【００３１】
ＬＡＮ２２は、Ｅｔｈｅｒｎｅｔ（登録商標）等から構成され、クライアント制御部１２とＰＣ１８との間のデータの授受を媒介する。
【００３２】
ＬＡＮコントローラ２３は、クライアント制御部１２とＰＣ１８との間のＬＡＮ２２を介したデータの授受を媒介するためのネットワーク制御装置であり、クライアント制御部１２に接続されている。
【００３３】
表示部２４は、例えば、蛍光表示管や液晶表示パネル等から構成され、表示制御マイコン２５から供給される表示用データに従って、ＡＶ機器１の動作状況等を示すメッセージ等を表示する。
【００３４】
表示制御マイコン２５は、ＣＰＵやＲＯＭ、ＲＡＭ等を備えて構成されており、表示部２４に表示される表示内容を制御する。
【００３５】
ＬＡＮ接続端子２６は、ＬＡＮ２２とＬＡＮコントローラ２３とを接続するための端子である。
【００３６】
次に、上記構成を有するＡＶ機器１において、ＰＣ１８からディジタルデータを受信して、出力する処理について説明する。
【００３７】
キー制御部１７がユーザのキー操作を検出する。キー制御部１７は、キー操作に対応するコマンドをシステムマイコン１１に出力する。システムマイコン１１は、当該キー操作に対応するコマンドがＰＣ１８内のデータの再生を指示するものであるかを判別し、ＰＣ１８内のコンテンツの再生を指示するものであったとき、クライアント制御部１２、ＬＡＮコントローラ２３、ＬＡＮ接続端子２６、ＬＡＮ２２及びルータ１９を介してＰＣ１８に対応するデータの再生を指示する。
【００３８】
ＰＣ１８は、ＡＶ機器１から入力された再生指示に応じて、対応するデータの再生を開始し、これをルータ１９を介してＬＡＮ２２に出力する。このとき、ＰＣ１８は、再生指示されたデータを記録されている符号化形式のままデジタルデータでビットストリーム出力する。また、必要に応じて記録されている符号化形式に基づいてデータをデコードして、ＰＣＭデータで出力してもよい。
【００３９】
ＡＶ機器１は、ＬＡＮ２２、ＬＡＮ接続端子２６、ＬＡＮコントローラ２３を介してＰＣ１８が出力したデータを受信し、クライアント制御部１２に入力される。クライアント制御部１２は、受信したディジタルデータの属性を判別する。ＰＣ１８から供給されるディジタルデータがＭＰ３ビットストリームの場合、音声符号化形式とサンプリング周波数を属性として判別し、判別した属性に基づいて受信したディジタルデータをデコードする。また、クライアント制御部１２は、判別した属性に基づいて属性判別用ディジタルデータを生成する。属性判別用ディジタルデータは、判別した属性を利用して生成され、本実施の形態では、属性のうちサンプリング周波数を利用し、同一のサンプリング周波数であるデータを生成する。属性判別用ディジタルデータは、音声データ部分は無音（０データ）である。
【００４０】
また、クライアント制御部１２は、判別した属性に基づいて受信したディジタルデータをデコードする。受信したディジタルデータがＭＰ３形式データの場合、ＭＰ３のフォーマットに則ってデコード処理を行い、受信したディジタルデータに対応するディジタルデータ（本実施の形態ではＭＰ３をデコードして得たＰＣＭデータ）を出力する。
【００４１】
クライアント制御部１２は、生成した属性判別用ディジタルデータを、受信したディジタルデータに対応するディジタルデータに先駆けて出力する。属性判別用ディジタルデータの出力に続けて、属性判別用ディジタルデータと同期がとれた状態を維持して、受信したディジタルデータに対応するディジタルデータ（ＰＣＭデータ）の出力を行う。
【００４２】
クライアント制御部１２から出力されたディジタルデータは、ＤＩＲ１３に供給される。ＤＩＲ１３は、受信したディジタルデータ（ＰＣＭデータ）を、オーディオＤＳＰ１４が処理可能な状態となるよう再生処理して出力する。このとき、ＤＩＲ１３は、オーディオＤＳＰ１４が処理可能な状態となるように再生処理するためには、受信したディジタルデータの属性を判別して、この属性に基づいて再生処理を行う必要がある。クライアント制御部１２からは、まず属性判別用ディジタルデータを受信する。受信した属性判別用ディジタルデータに基づいて属性（サンプリング周波数）を判別し、判別した属性に基づいて、続いて受信する音声信号を含んだディジタルデータ（ＰＣ１８から出力されてクライアント制御部１２でデコードされたディジタルデータ）を処理する。
【００４３】
上述のように処理を実行するので、ＤＩＲ１３が属性を判別するために相応の時間を要しても、ＰＣ１８から受信したディジタルデータの再生に頭切れが生じることはない。
【００４４】
（第２の実施の形態）
次に、本発明の第２の実施の形態に係るディスク再生装置と、これに接続されるレシーバ装置について説明する。本発明の第２の実施の形態に係るディスク再生装置とレシーバ装置は、図２に示すように表すことができる。すなわち、ディスク再生装置は、ＤＳＰ３１と、制御部３２と、ドライブ装置３３と、から構成される。
【００４５】
ＤＳＰ３１は、ドライブ装置３３から供給された音楽データをＰＣＭデータにデコードして、レシーバ側装置のＤＳＰ３４に供給（デジタルアウト）する。その際、ＤＳＰ３１は、ドライブ装置３３から供給された音楽データの属性（符号化形式、サンプリング周波数）を判別し、制御部３２の制御に従って、ドライバ装置３３から供給された音楽データのＦＳ（ファイルシステム）や音声フォーマットの種類に応じたデコード処理を行う。
【００４６】
また、ＤＳＰ３１は、ドライブ装置３３から供給された音楽データをデコードした後、図３に示すように、デコードした音楽データ（ＰＣＭの音楽データ）にダミーデータを付加して、ＤＳＰ３４に供給する。このダミーデータは、ＤＳＰ３４において、オーディオＤＳＰ３５（レシーバ側のＤＳＰ）が処理可能な形式に音声信号を再生処理する際に、サンプリング周波数等に応じた処理を行うための音楽データの形式情報を取得する時間をかせぐためのものである。すなわち、音楽データの先頭に所定時間長のダミーデータが付加されていることにより、例えば、図４に示すように、ダミーデータの再生中に音楽データのデータ形式の取得を完了することができる。このため、ダミーデータがない場合に起こる、図７に示すようなデータ形式の取得遅れによる頭切れを起こすことなく、音楽データの再生（音場処理を伴った再生）を行うことができる。ダミーデータは、ＤＳＰ３１で判別された、ドライブ装置３３から供給された音楽データの属性と同一の属性を有する。例えば、ドライブ装置３３から供給された音楽データのサンプリング周波数が４８ｋＨｚであった場合、サンプリング周波数４８ｋＨｚのＰＣＭデータがダミーデータとして出力される。ダミーデータに続いて出力される、ドライブ装置３３から供給された音楽データに対応するディジタルデータは、ダミーデータと同期がとれた状態で出力される。
【００４７】
制御部３２は、ＣＰＵやＲＯＭ、ＲＡＭ等を備えて構成される。制御部３２は、音声データの各形式（ＦＳ、データフォーマット）に対応するデコード処理方法や付加するダミーデータの情報を、例えば自己の内部バッファにテーブル等として記憶している。そして、制御部３２は、ＤＳＰ３１で判別されたドライブ装置３３からＤＳＰ３１に供給された音楽データの属性に応じて、対応する処理方法やダミーデータの情報を読み出し、ＤＳＰ３１を制御してデコード処理およびダミーデータの付加を行わせる。
【００４８】
ドライブ装置３３は、当該ドライブ装置３３に装填されたディスクを再生するための再生ドライブであり、制御部３２から指示された音楽データをＤＳＰ３１に供給する。尚、ＤＳＰ３１は、対応するレシーバ装置がドライブ装置から出力される符号化形式の音楽データをデコードする機能を備える場合、ドライブ装置３３から供給された音楽データを、供給された符号化形式のまま出力するようにしても良い。この場合でも、ダミーデータに続いて音楽データが出力される。
【００４９】
次に、レシーバ装置の構成について説明する。レシーバ装置は、ＤＳＰ３４、システムマイコン３６、オーディオＤＳＰ３５、アンプ部３７、ＤＡＣ３８等を備えて構成される。
【００５０】
ＤＳＰ３４は、ＤＳＰ３１から供給されたダミーデータ付きの音楽データを、システムマイコン３６による制御に従ってオーディオＤＳＰ３５が処理可能な信号形式に変換し、オーディオＤＳＰ３５に供給する。つまり、ＤＳＰ３４は、ＤＳＰ３１から供給された音楽データの属性を判別し、判別した属性に基づいて受信した音楽データを再生処理する。ここで、供給された音楽データがＰＣＭデータの場合、サンプリング周波数を属性として判別し、対応する再生処理を行う。また、供給された音楽データが符号化された音楽データ（ＭＰ３、ＷＭＡ、ＡＡＣ等）の場合、その符号化形式とサンプリング周波数を属性として判別し、対応する再生処理を行う。ＤＳＰ３４に供給されるディジタルデータは、音楽データに先立ってダミーデータが付加されている。従って、ダミーデータを用いて供給された音楽データの属性を判別することができ、音楽データの初頭部分の頭切れを起こしてしまうことがない。
【００５１】
システムマイコン３６は、オーディオＤＳＰ３５を制御して、必要な音響処理（高域補完処理やサラウンド処理）を行わせる。尚、前述したように、ＤＳＰ３４においてダミーデータの再生中に属性の判別がなされるので、オーディオＤＳＰ３５に供給されるディジタルデータは頭切れを起こすことなく音声データの初頭から供給される。
【００５２】
アンプ部３７は、ＤＡＣ３８を備えて構成される。ＤＡＣ３８は、オーディオＤＳＰ３５から供給された音楽データをＤ／Ａ変換して出力（アナログ出力）する。
【００５３】
次に、本実施の形態に係るＡＶ機器１及びディスク再生装置が行う音声データの再生処理動作について、図５のフローチャートを参照して説明する。尚、括弧内の構成は第２の実施の形態に係るディスク再生装置の構成を示す。
【００５４】
ＰＣ１８（ドライブ装置３３）から出力された音楽データがクライアント制御部１２（ＤＳＰ３１）に供給されると、システムマイコン１１（制御部３２）は、クライアント制御部１２（ＤＳＰ３１）に音声データの復号／復調処理を行わせるための再生命令を供給する（ステップＳ１０１）。
【００５５】
システムマイコン１１は、オーディオＤＳＰ１４に復号／復調中の音楽データのヘッダ部の情報、つまり属性の読み取りを指示し、音楽データのデータ形式（ＦＳ、データフォーマット、サンプリング周波数）の情報の取得を行わせる（ステップＳ１０２）。
【００５６】
クライアント制御部１２（ＤＳＰ３１）は、判別した属性に基づいてダミーデータを生成し、音楽データに先駆けてまずダミーデータを出力する（ステップＳ１０３）。
【００５７】
クライアント制御部１２（ＤＳＰ１２１）は、ダミーデータの出力に続いて、復号／復調した音楽データをＰＣＭデータで出力する（ステップＳ１０４）。そして、音楽データの終了とともに、再生処理を終了させる（ステップＳ１０５）。
【００５８】
尚、ＡＶ機器１においては、上述の処理に引き続き、ＤＩＲ１３での再生処理が行われる。この再生処理は、クライアント制御部１２から供給されたＰＣＭデータを、オーディオＤＳＰ１４が処理できる形式に変換する作業で、供給されたＰＣＭデータのサンプリング周波数に基づいて行われる。
【００５９】
上述のように、ＡＶ機器１のＤＩＲ１３及びレシーバ装置のＤＳＰ３４は、音楽データの受信に先立ってダミーデータを受信するので、属性に基づいた再生処理の準備を音楽データの受信までに行うことができる。従って、音楽データの音声部分の頭切れを起こしてしまうことがない。
【００６０】
尚、本発明は、上記実施の形態で示したものに限定されず、様々な変形および応用が可能である。
【００６１】
例えば、上記実施の形態では、一定の長さのダミーデータを音楽データの先頭に付加するものとした。しかし、ダミーデータの長さは１つの種類に限定されるものではなく、ユーザの好みに応じて可変なものであってもよい。これは、例えばディスク再生装置が図６に示すような不揮発性のメモリ３９を備えることによって実現される。すなわち、ユーザによる図示せぬコントローラ等を用いたダミーデータの出力時間に関する設定を受け付け、ディスク再生装置の制御部３２はその設定情報をメモリ３９に格納する。そして、レシーバの状態やコンテンツの状態に応じてユーザに指定された設定情報をメモリ３９から適宜読み出して、ダミーデータの付加を行う。これにより、最大限無駄のないダミーデータの付加を実現することが出来る。
【００６２】
また例えば、ダミーデータの属性に基づいて再生処理を行う再生処理手段が、それぞれの符号化形式、サンプリング周波数から所要の時間を計測し、これを属性判別用ディジタルデータ生成手段に通知するようにしてもよい。これによっても、無駄のないダミーデータ（属性判別用ディジタルデータ）の付加を実現することができる。
【００６３】
更に、上述したように、処理手段が出力するディジタルデータは、符号化されたディジタルデータはそのまま出力しても良い。この場合には、ディジタルデータを受信する側でデコード処理を行えばよい。
【００６４】
また、コンテンツを供給するソースの種類も、ＰＣ１８（ＨＤＤ）やメモリカード２０に限定されず、例えば、ＤＶＤ（Digital Versatile Disc)や、ＣＤ(Compact Disc) 等でもよい。この場合、例えば、ソースから出力信号は、デコードが必要な場合にはクライアント制御ＩＣ１２に供給され、、デコード済みの場合には、ＤＩＲ１３に供給され、ＤＩＲ１３で任意の入力が選択される。
【図面の簡単な説明】
【００６５】
【図１】本発明の実施の形態に係るＡＶ機器の構成図である。
【図２】本発明の第２実施形態に係るディスク再生装置およびレシーバ装置の構成図である。
【図３】ＡＶ機器やディスク再生装置において、ダミーデータを音声データに付加する様子を模式的に示す図である。
【図４】ダミーデータの付加により、頭切れを防止することができることを説明するための図である。
【図５】図１のＡＶ機器や図２のディスク再生装置（およびレシーバ装置）が行う再生処理の内容を示すフローチャートである。
【図６】本発明の第２実施形態の変形例の構成を示す図である。
【図７】従来のＡＶ機器において頭切れが起こることを説明するための図である。
【符号の説明】
【００６６】
１  ＡＶ機器
１１  システムマイコン
１２  クライアント制御部
１３  ＤＩＲ
１４  オーディオＤＳＰ
１５  アンプ部
１６  スピーカ部
１７  キー制御部
１８  ＰＣ
１９  ルータ
２０  メモリカード
２１  スロット
２２  ＬＡＮ
２３  ＬＡＮコントローラ
２４  表示部
２５  表示制御マイコン
２６  ＬＡＮ接続端子
３１  ＤＳＰ
３２  制御部
３３  ドライブ装置
３４  ＤＳＰ
３５  オーディオＤＳＰ
３６  システムマイコン
３７  アンプ部
３８  ＤＡＣ
【図１】
2006065958.tif 000003
【図２】
2006065958.tif 000004
【図３】
2006065958.tif 000005
【図４】
2006065958.tif 000006
【図５】
2006065958.tif 000007
【図６】
2006065958.tif 000008
【図７】
2006065958.tif 000009